(57)【要約】【課題】    解決しようとする問題点は、洋式トイレにおいて、男性が前向きで使用した場合、小便が便器外に飛散してしまう点を、利用者が違和感無く、清潔に、比較的低コストで使用できる器具を提供することである。【解決手段】  本発明は、洋式便器の前面および左右側面を覆う合成樹脂製カバーガイド部と左右側面外側に合成樹脂製カバーを設置し、男性小便利用時に便器前面にあるペダルを踏むことにより、バネで合成樹脂カバーがカバーガイド部に沿って上方にせり上がり、便器の上部で左右のカバーがバネと磁石の力により閉じ、閉じた左右のカバーにより小便の飛散を防ぐことを特徴とする洋式便座付属器具である。【選択図】図３
2009270276.tif 000002
【特許請求の範囲】
【請求項１】
洋式便器の前面および左右側面に合成樹脂製カバーのガイド部を設置し、ガイド部の外側左右側面に合成樹脂製カバーを設置し、男性小便使用時に便器前面にあるペダルを踏むことにより、合成樹脂カバーが上方にせり上がり、せり上がった状態でゼンマイバネと磁石の作用でカバーの後部が便器の上部で閉じることにより、男性小便の飛散範囲を大幅に狭め、男性小便の便器外への飛散を軽減可能とすることを特徴とする洋式便座付属器具。
【請求項２】
合成樹脂カバーの表面を撥水加工し、合成樹脂カバーの上方に水洗用パイプを設置して、水洗用パイプと電気式洗浄便座に洗浄用水を供給するポンプとを連結することにより、水洗で合成樹脂カバーを洗浄可能とすることを特徴とする請求項１の洋式便座付属器具。
【発明の詳細な説明】
【技術分野】
【０００１】
本発明は、通常の洋式便座に付属させることにより、男性が小便に利用する場合に、小便の飛散を大幅に低減可能とするものである。
【背景技術】
【０００２】
通常の洋式便座を男性が小便に利用する場合には、小便が飛散し、便器近くの壁や床を汚し、掃除が大変であるという問題があった。
【特許文献１】特許公開２００７−２１７９１４号         本発明の洋式便器は、漏斗形状に形成された尿ホルダーを利用して放尿する方法であり、本方法では、利用者にとって、使用感が不快であるという問題点があった。
【特許文献２】特許公開２００５−３４２４６２号         本発明の洋式便器は、便器と便座との間に蛇腹式の補助具を取り付けることにより、便器外に飛び出そうとする尿飛沫を遮断する方法であり、本方法では、蛇腹が凸凹の形状になっているため、掃除がしにくく、清潔感が保ちにくいという問題点があった。
【特許文献３】特許公開２００４−１５６４１０号         本発明の洋式便器は、通常の洋式便座と男性用便器との両方を持つ方法であり、広い面積を必要とし、高コストになるという問題点があった。
【発明の開示】
【発明が解決しようとする課題】
【０００３】
解決しようとする問題点は、洋式トイレにおいて、男性が前向きで使用した場合、小便が便器外に飛散してしまう点を、利用者が違和感無く、清潔に、比較的低コストで使用できる方法を実現することである。
【課題を解決するための手段】
【０００４】
本発明は、洋式便器の前面および左右側面を覆う合成樹脂製カバーガイド部と左右側面外側に合成樹脂製カバーを設置し、男性小便利用時に便器前面にあるペダルを踏むことにより、バネで合成樹脂カバーがカバーガイド部に沿って上方にせり上がり、便器の上部で左右のカバーがバネと磁石の力により閉じ、便器の上部で閉じた左右の合成樹脂カバー内で小便をすることを特徴とする洋式便座付属器具である。
【発明の効果】
【０００５】
本発明の洋式便座付属器具は、通常の洋式トイレにおいて、本器具を付属することにより、男性が前向きで使用した場合でも、小便の便器外への飛散が少なく、利用者が違和感無く、清潔に、比較的低コストで使用できるという利点がある。
【発明を実施するための最良の形態】
【０００６】
本洋式便座付属器具は、洋式便器の前面および左右側面を覆う合成樹脂製カバーガイド部１と、前記カバーガイド部１に沿って上下方向に移動可能な左右一対の合成樹脂製カバー２、３と、前記カバー２、３を移動させるためのペダル４と、を備えている。
【０００７】
合成樹脂製カバーガイド部１は、強度が高い合成樹脂で構成され、洋式便器の前面および左右側面を覆い、下端には縁があり合成樹脂製カバー２、３から落ちる一定量の水分を受け止めることが可能となっており、さらにカバー２、３の支柱部２１、３１やペダル４を設置可能となっている。
【０００８】
合成樹脂製カバー２、３は、強度が高い合成樹脂で構成され、合成樹脂製カバーガイド部１の左右それぞれの下端から上端までを覆い、合成樹脂製カバーガイド部１の外部側面に沿って、上下方向に移動可能となっている。
【０００９】
合成樹脂製カバー２、３の前方の内部には、支柱部２１、３１があり、支柱部２１、３１は合成樹脂製カバー収納部１に固定され、支柱部２１、３１の内部には、多段式の鋼材製パイプ２１１、３１１があり、多段式の鋼材製パイプ２１１、３１１の内部には、コイル状のバネ２１２、３１２がある。多段式の鋼材製パイプ２１１、３１１の最上部には、ぜんまいバネ２１３、３１３があり、一方は支柱部２１、３１に、他方は合成樹脂製カバー２、３の本体に連結されている。
【００１０】
合成樹脂製カバー２、３の最前方上部にはレバー部２２、３２があり、合成樹脂製カバー２、３の後方上部および／または下部には磁石２４１、２４２、３４１、３４２があり、合成樹脂製カバー２、３の最前方下部には突起部２３、３３があり、突起部２３、３３の内部にはコイル状のバネ２３１、３３１と合成樹脂製の突起２３２、３３２がある。
【００１１】
ペダル４は、合成樹脂で構成されており、前方下部を合成樹脂製カバーガイド部１の正面の縁に蝶番で連結され、後方はコイル状のバネ４１で連結され、バネ４１の前方に合成樹脂製の軸受け部４２があり、４２に合成樹脂製の可動部４２１、４２２がぜんまいバネ４２３で連結され、可動部４２１、４２２に合成樹脂製の突起４２４、４２５が連結され、可動部４２１、４２２の下方で収納部１の縁上に、固定突起１１１、１１２を持つ。
【００１２】
合成樹脂製カバーガイド部１と、合成樹脂製カバー２、３の表面は、撥水加工を施し、合成樹脂製カバー２、３の前方内側には上下に伸びた水止め用の小突起２５、３５を有する。
【００１３】
左側の合成樹脂製カバー３の上部に水洗用の水パイプ３６を設け、洗浄便座用のポンプと接続する。洗浄便座用のポンプは、出水先を洗浄便座用と水洗用の水パイプ３６用とに分離可能とし、リモコン等により出水先を洗浄便座と水洗用の水パイプ３６とに選択可能とすることが望ましい。
【実施例１】
【００１４】
図１は、本発明の飛散防止型洋式便座付属器具の収納時の状態であり、男性小便利用時に便器前面にあるペダル４を踏むことにより、左右にある合成樹脂カバー２、３の内部にある多段式の支柱２１、３１内のバネ２１２、３１２で左右の合成樹脂カバー２，３が上方にせり上がり、支柱２１、３１内のバネ２１３、３１３および磁石２４１、２４２、３４１、３４２で便器の上部において左右のカバーが閉じ、図３の男性小便での使用状態となる。符号１〜４は、図３と同様である。
【実施例２】
【００１５】
図３のせり上がった状態から、図１の最初の収納時の状態へは、左右の合成樹脂カバー２、３のレバー２２、３２で左右の合成樹脂カバーを開き、下方に引き下げることによりペダル４で固定され図１の状態に戻る。符号１〜４は、図１と同様である。    
【図面の簡単な説明】
【００１６】
【図１】本発明の飛散防止型洋式便座付属器具の収納時の状態を示した説明図である。
【図２】本発明の飛散防止型洋式便座付属器具の支柱部の内部を示した説明図である。
【図３】本発明の飛散防止型洋式便座付属器具の使用時の状態を示した説明図である。
【図４】本発明の飛散防止型洋式便座付属器具のペダルの構造を示した説明図である。
【符号の説明】
【００１７】
１  合成樹脂製カバー収納部
１１１  右側固定突起
１１２  左側固定突起
２  合成樹脂製右側側面カバー
２１  右側側面カバー支柱部
２１１  右側の多段式の鋼材製パイプ
２１２  右側のコイル状バネ
２１３  右側支柱上部のぜんまいバネ
２２  右側側面カバーのレバー
２３  右側側面カバー前方下部の突起部
２３１  右側側面カバー前方下部の突起部のコイル状バネ
２３２  右側側面カバー前方下部の突起部の突起
２４１  右側側面カバー後方上部の磁石
２４２  右側側面カバー後方下部の磁石
２５  右側側面カバー前方に上下に伸びる小突起
３  合成樹脂製左側側面カバー
３１  左側側面カバー支柱部
３１１  左側の多段式の鋼材製パイプ
３１２  左側のコイル状バネ
３２  左側側面カバーのレバー
３３  左側側面カバー前方下部の突起部
３３１  左側側面カバー前方下部の突起部のコイル状バネ
３３２  左側側面カバー前方下部の突起部の突起
３４１  左側側面カバー後方上部の磁石
３４２  左側側面カバー後方下部の磁石
３５  左側側面カバー前方に上下に伸びる小突起
３６  水洗洗浄用パイプ  
４  ペダル
４１  ペダル後方のコイル状バネ
４２  合成樹脂製の軸受け部
４２１  右側可動部
４２２  左側可動部
４２３  ぜんまいバネ
４２４  右側突起
４２５  左側突起
【図１】
2009270276.tif 000003
【図２】
2009270276.tif 000004
【図３】
2009270276.tif 000005
【図４】
2009270276.tif 000006